(57)【特許請求の範囲】
【請求項１】
平面視長方形状のプラスチック製パン１を備えたバルコニー床構造に於て、該パン１に、長辺８，８と平行な切断面の形状が凹凸状となるように、多数の突隆部９…を、千鳥状に配設し、複数枚のパン１…が、長辺縁部13, 13が上下に重なり合うように並設され、重なり合った一対の長辺縁部13, 13の内の一方13ａを固定すると共に、他方13ｂをスライド自在とし、さらに、上記長辺縁部13, 13の重なり合い部分を上方から被覆するように、軟質プラスチック製の帯状連結部材15の一辺及び他辺を、夫々、上記長辺縁部13, 13の一方13ａと他方13ｂに、溶着又は接着したことを特徴とするバルコニー床構造。
【請求項２】
平面視長方形状のプラスチック製パン１を備えたバルコニ−床構造に於て、該パン１が、外方へ傾斜する立上り傾斜壁部11を、少なくとも２辺に有し、該立上り傾斜壁部11の上端縁部を、鉛直状取付壁面部４に固定して、該取付壁面部４と上記立上り傾斜壁部11の間に、上記パン１の熱変形を逃げる空間部Ｓを、形成し、複数枚のパン１…が、長辺縁部13, 13が上下に重なり合うように並設され、重なり合った一対の長辺縁部13, 13の内の一方13ａを固定すると共に、他方13ｂをスライド自在とし、さらに、上記長辺縁部13, 13の重なり合い部分を上方から被覆するように、軟質プラスチック製の帯状連結部材15の一辺及び他辺を、夫々、上記長辺縁部13, 13の一方13ａと他方13ｂに、溶着又は接着したことを特徴とするバルコニー床構造。
【請求項３】
平面視長方形状のプラスチック製パン１を備えたバルコニー床構造に於て、該パン１に、長辺８，８と平行な切断面の形状が凹凸状となるように、多数の突隆部９…を、千鳥状に配設し、さらに、上記パン１が、外方へ傾斜する立上り傾斜壁部11を、少なくとも２辺に有し、該立上り傾斜壁部11の上端縁部を、鉛直状取付壁面部４に固定して、該取付壁面部４と上記立上り傾斜壁部11の間に、上記パン１の熱変形を逃げる空間部Ｓを、形成し、複数枚のパン１…が、長辺縁部13, 13が上下に重なり合うように並設され、重なり合った一対の長辺縁部13, 13の内の一方13ａを固定すると共に、他方13ｂをスライド自在とし、さらに、上記長辺縁部13, 13の重なり合い部分を上方から被覆するように、軟質プラスチック製の帯状連結部材15の一辺及び他辺を、夫々、上記長辺縁部13, 13の一方13ａと他方13ｂに、溶着又は接着したことを特徴とするバルコニー床構造。
【請求項４】
平面視長方形状のプラスチック製パン１を備えたバルコニー床構造に於て、該パン１に、長辺８，８と平行な任意の切断面の形状が必ず凹凸状となるように、多数の平面視矩形状の突隆部９…を、千鳥状に配設し、さらに、上記パン１が、外方へ傾斜する立上り傾斜壁部11を、少なくとも２辺に有し、該立上り傾斜壁部11の上端縁部を、鉛直状取付壁面部４に固定して、該取付壁面部４と上記立上り傾斜壁部11の間に、上記パン１の熱変形を逃げる空間部Ｓを、形成したことを特徴とするバルコニー床構造。
【発明の詳細な説明】
【０００１】
【発明の属する技術分野】
本発明は、バルコニー床構造に関する。
【０００２】
【従来の技術】
住宅から張り出した状態で設けられるバルコニーの床構造としては、従来、枠組された床フレームに平坦な底壁部を有するプラスチック製パンを複数枚敷設し、そのパンの端縁部にコーキングを施したものが公知であった。
【０００３】
【発明が解決しようとする課題】
しかしながら、上述のような従来のバルコニー床構造は、気温の大きな変化によりパンが熱変形して伸縮すると、その伸縮を吸収することができず、パンに応力集中が生じて亀裂や破損が発生し易いという問題があった。また、パンのジョイント部分やコーキング部分が破損して防水性が悪くなるという問題があった。また、施工時に、パンのジョイント部分の防水処理等が困難であり熟練を要するという問題があった。
【０００４】
そこで、本発明は、上述の問題を解決して、気温の変化に強く優れた耐久性を発揮でき、かつ、容易に施工できるバルコニー床構造を提供することを目的とする。
【０００５】
【課題を解決するための手段】
上述の目的を達成するために、本発明に係るバルコニー床構造は、平面視長方形状のプラスチック製パンを備えたバルコニー床構造に於て、該パンに、長辺と平行な切断面の形状が凹凸状となるように、多数の突隆部を、千鳥状に配設し、複数枚のパンが、長辺縁部が上下に重なり合うように並設され、重なり合った一対の長辺縁部の内の一方を固定すると共に、他方をスライド自在とし、さらに、上記長辺縁部の重なり合い部分を上方から被覆するように、軟質プラスチック製の帯状連結部材の一辺及び他辺を、夫々、上記長辺縁部の一方と他方に、溶着又は接着したものである。
【０００６】
また、平面視長方形状のプラスチック製パンを備えたバルコニ−床構造に於て、該パンが、外方へ傾斜する立上り傾斜壁部を、少なくとも２辺に有し、該立上り傾斜壁部の上端縁部を、鉛直状取付壁面部に固定して、該取付壁面部と上記立上り傾斜壁部の間に、上記パンの熱変形を逃げる空間部を、形成し、複数枚のパンが、長辺縁部が上下に重なり合うように並設され、重なり合った一対の長辺縁部の内の一方を固定すると共に、他方をスライド自在とし、さらに、上記長辺縁部の重なり合い部分を上方から被覆するように、軟質プラスチック製の帯状連結部材の一辺及び他辺を、夫々、上記長辺縁部の一方と他方に、溶着又は接着したものである。
【０００７】
また、平面視長方形状のプラスチック製パンを備えたバルコニー床構造に於て、該パンに、長辺と平行な切断面の形状が凹凸状となるように、多数の突隆部を、千鳥状に配設し、さらに、上記パンが、外方へ傾斜する立上り傾斜壁部を、少なくとも２辺に有し、該立上り傾斜壁部の上端縁部を、鉛直状取付壁面部に固定して、該取付壁面部と上記立上り傾斜壁部の間に、上記パンの熱変形を逃げる空間部を、形成し、複数枚のパンが、長辺縁部が上下に重なり合うように並設され、重なり合った一対の長辺縁部の内の一方を固定すると共に、他方をスライド自在とし、さらに、上記長辺縁部の重なり合い部分を上方から被覆するように、軟質プラスチック製の帯状連結部材の一辺及び他辺を、夫々、上記長辺縁部の一方と他方に、溶着又は接着したものである。
【０００８】
平面視長方形状のプラスチック製パンを備えたバルコニー床構造に於て、該パンに、長辺と平行な任意の切断面の形状が必ず凹凸状となるように、多数の平面視矩形状の突隆部を、千鳥状に配設し、さらに、上記パンが、外方へ傾斜する立上り傾斜壁部を、少なくとも２辺に有し、該立上り傾斜壁部の上端縁部を、鉛直状取付壁面部に固定して、該取付壁面部と上記立上り傾斜壁部の間に、上記パンの熱変形を逃げる空間部を、形成したものである。
【０００９】
【発明の実施の形態】
以下、実施の形態を示す図面に基づき、本発明を詳説する。
【００１０】
図３は、本発明のバルコニー床構造の実施の一形態を示し、このバルコニー床構造は、住宅等の建物Ａに形成されるバルコニーＢの床部分の構造であり、プラスチック製パン１と、そのプラスチック製パン１が取付けられると共に建物Ａに固定される取付支持部２と、を備えている。取付支持部２は、底壁部３とその底壁部３の周縁部に形成される鉛直状取付壁面部４とを有する支持枠部５と、その支持枠部５の底壁部３に載置状に配設されるＡＬＣ等の軽量板材から成る基板材６…と、その基板材６…とパン１の間に介装される発泡プラスチック製のパン受け板７と、を備える。
【００１１】
しかして、図１と図２に示すように、パン１を平面視長方形状とし、そのパン１に、長辺８と平行な切断面の形状が凹凸状となるように、多数の突隆部９…を、千鳥状に配設する。即ち、図２の（イ）（ロ）（ハ）は、夫々、図１のＣ−Ｃ，Ｄ−Ｄ，Ｅ−Ｅ断面図であり、多数の突隆部９…が形成された領域内に於て、長辺８と平行な任意の切断面の形状が必ず凹凸状となるように、（図１の如く）平面視矩形状の突隆部９…をパン１の短辺と平行に複数列並べると共に、隣合う突隆部９…の列が短編と平行な方向へ僅かにずれるように並設する。なお、突隆部９の突出寸法Ｈは、例えば、１５ｍｍ程度とされる（図３参照）。
【００１２】
さらに、パン１は、上記多数の突隆部９…が形成された底壁部１０と、その底壁部１０の少なくとも２辺に形成される外方へ傾斜する立上り傾斜壁部１１と、から成る。具体的には、図１に示すように、複数枚のパン１…が、長辺縁部が上下に重なり合うように並設される。また、底壁部１０の建物Ａとは反対寄りに、排水用溝部１２が形成される。
【００１３】
また、図４と図５と図６に示すように、重なり合った一対の長辺縁部１３，１３の内の一方１３ａを固定すると共に、他方１３ｂをスライド自在とする。具体的には、長辺縁部１３の一方１３ａに、溶着や接着を防止するクラフトテープ１８を介して押え金具１６を上から当接させ、その押え金具１６を、ねじ部材１７を介して、パン受け板７に固着する。押え金具１６は、長辺縁部１３に沿って複数個配設される。
【００１４】
さらに、長辺縁部１３，１３の重なり合い部分を上方から被覆するように、軟質プラスチック製の帯状連結部材１５の一辺及び他辺を、夫々、長辺縁部１３，  １３の一方１３ａと他方１３ｂに、溶着又は接着する。具体的には、長辺縁部１３，  １３の他方１３ｂには、一方１３ａに重ねるための段部１９が形成され、帯状連結部材１５は、長辺縁部１３，１３の重なり合い部分を被覆し易くなるように上方凸状に成型される。そして、段部１９の上面と帯状連結部材１５の間に溶着や接着を防止するクラフトテープ２０を介装する。ここで、帯状連結部材１５の材質を軟質塩化ビニルとし、パン１の材質を硬質塩化ビニルとするのが好ましいが、他のプラスチックを使用してもよい。
【００１５】
また、図３と図７に示すように、パン１の立上り傾斜壁部１１の上端縁部を、鉛直状取付壁面部４に固定して、その取付壁面部４と立上り傾斜壁部１１の間に、パン１の熱変形を逃げる空間部Ｓを、形成する。具体的には、図７に示すように、段部を有する押え金具２１の一端部を、傾斜壁部１１の上端縁部の内面に当接させると共に、その押え金具２１の他端部を、ねじ部材２２と介して、取付壁面部４に固着する。そして、立上り傾斜壁部１１の高さ寸法Ｉを、（従来は３０〜４０ｍｍ程度であったのに対し）約２４０ｍｍ  と大きくする。さらに、立上り傾斜壁部１１の上端縁部をシール材２３にてシールする。２４は、シール材２３を取付けるための取付金具である。また、パン１の底壁部１０を屋外側へ下傾斜状とする。
【００１６】
上述のように構成したことにより、パン１の長辺と平行な切断面の形状が必ず凹凸状となるので、長辺と平行な方向の熱変形による伸縮量が、パン１全体にわたって略均一となり、応力集中が生じない。さらに、立上り空間部Ｓにより、パン１の熱変形による伸縮を逃げることができる。また、パン１の隣合う長辺縁部１３の他方１３ｂが一方１３ｂに対してスライド自在であることから、短辺と平行な方向への熱変形による伸縮を吸収できる。また、傾斜壁部１１の上端縁部が押え金具２１にて押えられているだけなので、その上端縁部が僅かに動くことができ破損と浮き上がりを防止できる。従って、気温の大きな変化によりパン１が熱変形して膨張又は収縮しても、亀裂や破損が発生せず耐久性に優れると共に水密性が高くなる。
【００１７】
また、隣合うパン１，１の間（長辺縁部１３，  １３の重なり合い部分）の防水加工が簡単であり、容易かつ短時間で施工でき、現場作業能率が向上する。しかも、帯状連結部材１５が横断面形状に於て上方凸状であるため、パン１，１の長辺縁部１３，  １３に、容易に溶着又は接着でき、施工が一層簡単となる。そして、耐水性を長期間維持できる。また、水漏れの原因となる現場施工の箇所を減少できる。
【００１８】
次に、図８は、他の実施の形態の要部を示し、隣合うパン１，１の長辺縁部１３，  １３の一方１３ａに起立片部２５を形成し、かつ、押え金具１６の先端部に垂下押え片部２６を形成したものである。他は図１〜図７のものと同様である。このようにすれば、押え金具１６がパン１の長辺縁部１３（の一方１３ａ）から外れなくなり、長辺縁部１３を確実に押さえることができる。
【００１９】
なお、本発明は上述の実施の形態に限定されず、例えば、突隆部９…は、平面視矩形状以外にも、平面視円形状又は楕円形状とするも好ましい。また、パン１の枚数を１枚としてもよい。その場合は、パン１の４辺に立上り傾斜壁部１１を形成すればよい。
【００２０】
【発明の効果】
本発明は上述の如く構成されるので、次に記載する効果を奏する。
【００２１】
請求項１記載のバルコニー床構造によれば、気温の大きな変化によりパン１が熱変形して膨張又は収縮しても、パン１の底壁部に亀裂や破損が発生せず耐久性に優れる。そして、防水性を長期間維持できる。
【００２２】
請求項２記載のバルコニー床構造によれば、気温の大きな変化によりパン１が熱変形して膨張又は収縮しても、その膨張や収縮を吸収することができ、パン１の立上り傾斜壁部１１とその近傍部の亀裂や破損を防止でき、耐久性に優れる。
【００２３】
請求項３，４記載のバルコニー床構造によれば、気温の大きな変化によりパン１が熱変形して膨張又は収縮しても、パン１の底壁部に亀裂や破損が発生せず、かつ、立上り傾斜壁部11とその近傍部の亀裂や破損を防止できる。従って、長期間にわたって高い防水性を維持できる。
また、請求項４によれば、パン１の長辺８，８と平行な任意の切断面の形状が必ず凹凸状となるので、長辺と平行な方向の熱変形による伸縮量が、パン１全体にわたって略均一となり、応力集中が生じない。
【００２４】
請求項１，２，３記載のバルコニー床構造によれば、隣合うパン１，１の連結部分の防水性が高くなる。しかも、隣合う長辺縁部13, 13が熱変形等により位置ずれしても、防水性を良好な状態に維持できる。また、施工に際して熟練を要せず、だれにでも容易かつ短時間で施工できる。
【図面の簡単な説明】
【図１】本発明のバルコニー床構造の実施の一形態を示す要部平面図である。
【図２】パンの断面側面図である。
【図３】バルコニーの断面側面図である。
【図４】要部拡大斜視図である。
【図５】図４のＦ−Ｆ線断面図である。
【図６】図４のＧ−Ｇ線断面図である。
【図７】要部拡大断面図である。
【図８】他の実施の形態の要部拡大断面図である。
【符号の説明】
１  パン
４  取付壁面部
８  長辺
９  突隆部
１１    立上り傾斜壁部
１３    長辺縁部
１３ａ  一方
１３ｂ  他方
１５    帯状連結部材
Ｓ  空間部
【図１】
0003599540.tif 000002
【図２】
0003599540.tif 000003
【図３】
0003599540.tif 000004
【図４】
0003599540.tif 000005
【図５】
0003599540.tif 000006
【図６】
0003599540.tif 000007
【図７】
0003599540.tif 000008
【図８】
0003599540.tif 000009